Podtech/llm-jp-corpus-v4-ja_patent huggingface dataset:
(57)【要約】【課題】従来のようにヒートシンクとファンの組み合わせでは高発熱の半導体素子の冷却に対して限界に近づいて来ていた。本発明はこのような従来の課題を解決するものであり、液体循環式の冷却装置でもって効率良く放熱できる冷却装置を提供することを目的とするものである。【解決手段】半導体の冷却装置をサーバ枠体の背面隅に設置し、前記サーバ枠体の側面にスリット６を設けている。本構成により温度の低い新鮮な外部の空気を吸入することができ、またファン４での圧力損失を低減できるため高風量がえられる。【選択図】  図１
2005004596.tif 000002
【特許請求の範囲】
【請求項１】
発熱体である半導体素子を冷却するための冷却板と、コンデンサーと、ポンプを繋ぎ、前記コンデンサーをファンにより冷却する循環式の冷却装置であって、前記冷却装置を前記半導体素子を搭載したサーバ枠体の背面隅に設置し、前記サーバ枠体の側面に、冷却空気が通過するスリットを設けた半導体素子の冷却装置。
【請求項２】
サーバ枠体の天面の一部に、側面に通じる凹部を設け、前記凹部にスリットを設けたことを特徴とする、請求項１の半導体素子の冷却装置。
【請求項３】
サーバ枠体の側面の一部に、天面に通じる凹部を設け、前記凹部にスリットを設けたことを特徴とする、請求項１の半導体素子の冷却装置。
【請求項４】
冷却装置の周囲を囲い、冷却装置以外の部分と隔離したことを特徴とする、請求項１記載の半導体素子の冷却装置。
【発明の詳細な説明】
【０００１】
【発明の属する技術分野】
本発明は、高発熱の半導体素子の冷却装置に関し液体を用いて効率よく小型で取り扱いが容易な冷却装置に関するものである。
【０００２】
【従来の技術】
従来、この種の放熱装置としては図４に記載されているようなものがあった。図４は、従来のサーバの断面図を示している。同図のように、発熱量の小さい半導体の素子の冷却ではファン冷却器でも十分冷却されていた（例えば、特許文献１参照）。
【０００３】
【特許文献１】
特開２００１−１８９５８４号公報
【０００４】
【発明が解決しようとする課題】
従来のようにヒートシンクとファンの組み合わせでは高発熱の半導体素子の冷却に対して冷却能力的に限界に近づいて来ていた。
【０００５】
本発明はこのような従来の課題を解決するものであり、液体循環式の冷却装置でもって効率良く放熱できる冷却装置を提供することを目的とするものである。
【０００６】
【課題を解決するための手段】
この課題を解決するために本発明の冷却装置は、サーバ枠体の背面隅に設置し、前記サーバ枠体の側面にスリットを設けたもので、この構成により温度の低い新鮮な外部の空気を吸入することができ、尚且つファンの圧力損失を低減できるため、冷却能力が向上し、効率のよい冷却装置が得られる。
【０００７】
【発明の実施の形態】
以下に、本発明の実施の形態について図面を参照しながら説明する。
【０００８】
（実施の形態１）
図１は、本発明の実施の形態１におけるサーバ枠体内の半導体冷却装置の設置図である。図１において半導体冷却装置はサーバ枠体内の背面隅に設置されている。高発熱体である半導体素子を冷却するための冷却板１とコンデンサー２、ポンプ３を繋いで冷却サイクルを構成している。またコンデンサー２はファン４でもって冷却される構成になっており、冷却サイクル内には液体が封入されている。
【０００９】
また、サーバ枠体の側面にスリット６が設けられ冷却装置の側面を隔離板５で囲まれている。温度の低い新鮮な空気はサーバ枠体側面のスリット６より吸入されファン４によりコンデンサー２に吹き付けられてサーバ背面より流出する構成になっている。また、ハードドライブ、電源部および他の電子部品は前記半導体冷却装置以外の中間ファン７で持って冷却される。
【００１０】
図２は図１Ａ部のスリット部６の側面図である。側面には天面に通じる凹部を設け、複数のスリット６が構成されている。
【００１１】
かかる構成によればサーバ枠体内の背面隅に設置されており、サーバ枠体の側面にスリット６が設けられ冷却装置の側面を隔離板５で囲まれていることによりサーバ枠体内の温度上昇した空気ではなく、新鮮な空気を側面より吸入することが出来効率よくコンデンサー２を冷却することができる。また、サーバ枠体の側面に別の構造物、たとえば、別のサーバを近接して設置した時も、スリット部が閉塞されることがなく、ファンの圧力損失を増大させることなく高風量を確保することが出来、冷却性能が向上する。
【００１２】
なお、本実施の形態においてサーバ枠体の側面にスリットを設けたがルーバおよび多数の穴を設けても良い。
【００１３】
（実施の形態２）
図３は本発明の実施の形態２のサーバ枠体の天面図およびその側面である。図３において冷却装置の設置されているサーバ枠体の天面に凹部３１を構成し、前記天面の凹部３１にスリット３２を構成している。新鮮な空気はサーバ枠体の側面の凹部より吸入されスリット３２を通過して冷却装置のファンに吸入される。
【００１４】
かかる構成によれば天面の凹部３１にスリット３２を構成していることにより新鮮な温度の低い空気を吸入することが出来、効率よくコンデンサー２を冷却することができる。
【００１５】
なお、本実施の形態においてサーバ枠体の天面にスリットを設けたがルーバおよび多数の穴を設けても良い。
【００１６】
【発明の効果】
以上のように、本発明の半導体素子の冷却装置は、発熱体である半導体素子を冷却するための冷却板と、コンデンサーと、ポンプを繋ぎ、前記コンデンサーをファンにより冷却する循環式の冷却装置であって、前記冷却装置を前記半導体素子を搭載したサーバ枠体の背面隅に設置し、前記サーバ枠体の側面に、冷却空気が通過するスリットを設けたものである。
【００１７】
また、本発明は、サーバ枠体の天面の一部に、側面に通じる凹部を設け、前記凹部にスリットを設けたものである。
【００１８】
また、本発明は、サーバ枠体の側面の一部に、天面に通じる凹部を設け、前記凹部にスリットを設けたものである。
【００１９】
また、本発明は、冷却装置の周囲を囲い、冷却装置以外の部分と隔離したものである。
この構成をなすことにより、サーバ外部から温度の低い新鮮な空気を吸入することができ、また、サーバ内の温度の高い空気に接することなく、コンデンサを冷却することができ、効率の良い半導体素子の冷却装置が得られる。
【図面の簡単な説明】
【図１】本発明の実施の形態１のサーバ枠体内の半導体冷却装置の設置図
【図２】本発明の実施の形態１のサーバ枠体の側面図
【図３】本発明の実施の形態２のサーバ枠体の天面および側面図
【図４】従来のサーバーの断面図
【符号の説明】
１  冷却板
２  コンデンサー
３  冷媒ポンプ
４  ファン
５  隔離板
６  側面スリット
７  中間ファン
３１  天面の凹部
３２  天面スリット
【図１】
2005004596.tif 000003
【図２】
2005004596.tif 000004
【図３】
2005004596.tif 000005
【図４】
2005004596.tif 000006
(57)【要約】【課題】プリンタの設置場所を特定することができるプリンタシステム、プリンタドライバおよび記録媒体を提供する。【解決手段】パーソナルコンピュータ１とプリンタ２がネットワーク３で接続されたプリンタシステムにおいて、プリンタドライバユーザーインターフェース内で位置情報を受信したいプリンタ２の電子メールアドレスをデータ化し、プリンタドライバから当該プリンタ２に位置情報取得を指示して電子メールアドレスデータを送信し、データを受けたプリンタ２は位置情報をデータ化し、指定された電子メールアドレスへ送信する。【選択図】        図１
2005004462.tif 000002
【特許請求の範囲】
【請求項１】
パーソナルコンピュータとプリンタがネットワークで接続されたプリンタシステムにおいて、パーソナルコンピュータはプリンタの位置情報を取得する機能を有することを特徴とするプリンタシステム。
【請求項２】
請求項１記載のプリンタシステムにおいて、プリンタドライバユーザーインターフェース内で位置情報を受信したいプリンタの電子メールアドレスをデータ化し、プリンタドライバから当該プリンタに位置情報取得を指示して電子メールアドレスデータを送信し、データを受けたプリンタは位置情報をデータ化し、指定された電子メールアドレスへ送信することを特徴とするプリンタシステム。
【請求項３】
請求項２記載のプリンタシステムにおいて、ＧＰＳによって位置情報をデータ化することを特徴とするプリンタシステム。
【請求項４】
請求項２記載のプリンタシステムにおけるプリンタドライバであって、プリンタドライバユーザーインターフェース内で位置情報を受信したいプリンタの電子メールアドレスをデータ化し、当該プリンタに位置情報取得を指示して電子メールアドレスデータを送信することを特徴とするプリンタドライバ。
【請求項５】
請求項４記載のプリンタドライバプログラムが格納された記録媒体。
【発明の詳細な説明】
【０００１】
【発明の属する技術分野】
本発明は、パーソナルコンピュータとプリンタがネットワークで接続されたプリンタシステム、プリンタドライバおよび記録媒体に関するものである。
【０００２】
【従来の技術】
最近のオフィスにはネットワークに接続されたプリンタが増えている。ユーザーはＰＣ（パーソナルコンピュータ）で文書データを作成し、所定のプリンタを指定して印刷出力することができる。
【０００３】
【発明が解決しようとする課題】
このようなパーソナルコンピュータとプリンタがネットワークで接続されたプリンタシステムにおいて、管理者やユーザーによってはプリンタのＩＰアドレスはわかっても、実際の位置がわからない場合がある。
【０００４】
本発明は、プリンタの設置場所を特定することができるプリンタシステム、プリンタドライバおよび記録媒体を提供することを目的とする。
【０００５】
【課題を解決するための手段】
上記目的を達成するために、請求項１記載の発明は、パーソナルコンピュータとプリンタがネットワークで接続されたプリンタシステムにおいて、パーソナルコンピュータはプリンタの位置情報を取得する機能を有するプリンタシステムを最も主要な特徴とする。
【０００６】
請求項２記載の発明は、請求項１記載のプリンタシステムにおいて、プリンタドライバユーザーインターフェース内で位置情報を受信したいプリンタの電子メールアドレスをデータ化し、プリンタドライバから当該プリンタに位置情報取得を指示して電子メールアドレスデータを送信し、データを受けたプリンタは位置情報をデータ化し、指定された電子メールアドレスへ送信するプリンタシステムを主要な特徴とする。
【０００７】
請求項３記載の発明は、請求項２記載のプリンタシステムにおいて、ＧＰＳによって位置情報をデータ化するプリンタシステムを主要な特徴とする。
【０００８】
請求項４記載の発明は、請求項２記載のプリンタシステムにおけるプリンタドライバであって、プリンタドライバユーザーインターフェース内で位置情報を受信したいプリンタの電子メールアドレスをデータ化し、当該プリンタに位置情報取得を指示して電子メールアドレスデータを送信するプリンタドライバを最も主要な特徴とする。
【０００９】
請求項５記載の発明は、請求項４記載ののプリンタドライバプログラムが格納された記録媒体を最も主要な特徴とする。
【００１０】
【発明の実施の形態】
以下に本発明の実施形態を図面に従って説明する。
図１は本発明の実施の形態に係るプリンタシステムの構成図である。本システムは、パーソナルコンピュータ１とプリンタ２がネットワーク３で接続されることで構成されている。
【００１１】
ユーザーは、パーソナルコンピュータ１上のプリンタドライバの設定パネル（プリンタドライバユーザーインターフェース）で位置情報を受信したいプリンタの２電子メールアドレスをデータ化し、登録する。そしてプリンタドライバから当該プリンタ２に位置情報取得を指示して電子メールアドレスデータを送信する。
【００１２】
一方位置情報取得指示と電子メールアドレスデータを受けたプリンタ２は位置情報をデータ化し、指定された電子メールアドレスへ送信する。従ってユーザーは、このプリンタ２の位置情報をパーソナルコンピュータ１で取得することができる。ここで、例えばＧＰＳによって位置情報がデータ化される。
【００１３】
【発明の効果】
以上、説明したように、本発明によれば、管理者やユーザーは、ＩＰアドレスはわかっても場所のわからないプリンタの位置を自分で探し回らずに瞬時に把握することができる。
【図面の簡単な説明】
【図１】本発明の実施の形態に係るプリンタシステムの構成図である。
【符号の説明】
１  パーソナルコンピュータ
２  プリンタ
３  ネットワーク
【図１】
2005004462.tif 000003
(57)【要約】【課題】簡単な構造でかつ確実に塵の侵入を防止することができる防塵構造を有するコンピュータ装置を提供する【解決手段】挿入口２を覆うように、巻き取り式のセロハン状の膜３が配置されている。このセロハン膜３は、軸４を回転させることにより、巻き取り、または広げることが可能で、セロハン膜を完全に広げた場合には、挿入口全体を覆うことが可能となっている。また軸４の上部には、セロハン膜３を帯電させるためのブラシ５が設けられている。このブラシ５は、軸４の回転によりセロハン膜３が広げられる際に、セロハン膜３を接触する摩擦により、セロハン膜を帯電させる。そして帯電されたセロハン膜は、コンピュータ装置１の筐体外面に帯電力により吸着され、挿入口を完全に覆い、挿入口から塵が侵入することを防止することができる。【選択図】      図２
2005004927.tif 000002
【特許請求の範囲】
【請求項１】
コンビュータ装置本体と、
前記本体に設けられ挿抜可能に設置される記録媒体を駆動する記録装置と、
前記本体の外周面に設けられ前記記録媒体が挿抜される挿入口と、
前記挿入口を覆うように、巻き取りまたは広げることが可能に配置された防塵膜と、
この防塵膜を広げる際に、防塵膜を帯電させる帯電部とを具備し、
前記防塵膜を広げた場合、前記本体外周面に帯電された防塵膜が吸着することを特徴とするコンピュータ装置。
【請求項２】
前記本体には、本体内から外部へ排気させる排気ファンを有し、前記ファンの排気により、前記防塵膜を前記本体外周面に吸着させることを特徴とする請求項１記載のコンピュータ装置。
【発明の詳細な説明】
【０００１】
【発明の属する技術分野】
本発明は、テープ媒体や、ディスク媒体などが着脱可能にセットされる外部記憶装置を有するコンピュータ装置に関し、特に外部記憶装置内への塵の侵入を防ぐ防塵構造に関する。
【０００２】
【従来の技術】
コンピュータ装置には、テープ媒体や、ディスク媒体などを着脱可能にセットして、記憶装置として利用している。これらの記憶媒体は、コンビュータ装置と着脱可能とするために、それぞれ挿入口が配置され、この挿入口から記憶媒体が挿入されることとなる。しかし、この挿入口が設けられているため、挿入口から塵が入り込み、コンピュータ装置内部の電子部品を故障させる可能性があるため、従来より、防塵構造が設けられていた。
【０００３】
従来の防塵構造は、挿入口の周辺に、扉を設け、記憶媒体を挿入する時のみ、この扉を開くことにより、塵の侵入を防ぐ構造としていた。
【特許文献１】
特開平６−４４７６４号公報  （図１）
【０００４】
【発明が解決しようとする課題】
しかし、従来のような防塵構造は、完全に挿入口を塞ぐことができず、少量の塵が常時吸い込まれる可能性があり、故障の原因を完全になくすことはできなかった。また、扉構造とするため、装置自体の構造が大型化し、コスト増を招くなどの問題点が生じていた。
【０００５】
従って本発明は上述した課題を解決するため、簡単な構造でかつ確実に塵の侵入を防止することができる防塵構造を有するコンピュータ装置を提供するものである。
【０００６】
【課題を解決するための手段】
本発明は、上述した課題を解決するため、コンビュータ装置本体と、前記本体に設けられ挿抜可能に設置される記録媒体を駆動する記録装置と、前記本体の外周面に設けられ前記記録媒体が挿抜される挿入口と前記挿入口を覆うように、巻き取りまたは広げることが可能に配置された防塵膜と、この防塵膜を広げる際に、防塵膜を帯電させる帯電部とを具備し前記防塵膜を広げた時、前記本体外周面に帯電された防塵膜が吸着するものである。
【０００７】
また本発明は、上述した課題を解決するため、前記本体には、本体内から外部へ排気させる排気ファンを有し、前記ファンの排気により、前記防塵膜を前記本体外周面に吸着させるものである。
【０００８】
【発明の実施の形態】
以下、図面を用いて、本発明の実施形態を説明する。
図１は、本発明の一実施形態を示すコンピュータ装置の本体外観を示す正面図である。
コンピュータ装置１は、記録媒体として、カセットテープを挿入可能な挿入口２が設けられており、この挿入口より挿入されたカセットテープは、装置内のテープドライブで駆動され、記録再生動作が実行される。そして、挿入口２を覆うように、巻き取り式のセロハン状の膜３が配置されている。このセロハン膜３は、軸４を回転させることにより、巻き取り、または広げることが可能で、セロハン膜を完全に広げた場合には、挿入口全体を覆うことが可能となっている。また軸４の上部には、セロハン膜３を帯電させるためのブラシ５が設けられている。このブラシ５は、軸４の回転によりセロハン膜３が広げられる際に、セロハン膜３を接触する摩擦により、セロハン膜を帯電させる。そして帯電されたセロハン膜は、コンピュータ装置１の筐体外面に帯電力により吸着され、挿入口を完全に覆い、挿入口から塵が侵入することを防止することができる。
【０００９】
図２は、同実施例に示すコンピュータ装置の本体外観を示す斜視図である。
図１でも説明したように、軸４によりセロハン膜３が巻き取り可能に配置される構造が示されており、セロハン膜３は、ブラシ５との接触摩擦により帯電されることにより、コンピュータ装置１の筐体外周面に吸着し、挿入口２を完全に覆うことができる。
【００１０】
図３は、コンピュータ装置１の内部構成を説明するための概念図である。図３に示すように本実施形態のコンピュータ装置１には、装置内部の空気を排気口６より排気する排気ファン７が設けられており、このファン７で排気することにより、セロハン膜３の吸着力が上昇し、さらに防塵効果を高めることができる。
【００１１】
以上説明したように、本実施形態によれば、記録媒体を挿入する挿入口に、巻き取り可能なセロファン膜を配置したことより、簡単な構成で確実に防塵を実現することができる。
【００１２】
さらに、装置内部の排気ファンにより、装置内部から空気を排出させることにより、セロファン膜が筐体表面に吸着する吸着力を向上させることができ、さらに防塵効果を高めることができる。
【００１３】
【発明の効果】
本発明によれば、簡単な構造でかつ確実に塵の侵入を防止することができる防塵構造を有するコンピュータ装置を提供することができる。
【図面の簡単な説明】
【図１】本発明の一実施形態におけるコンピュータ装置の筐体外観を示す正面図である。
【図２】同実施形態におけるコンピュータ装置の筐体外観を示す斜視図である。
【図３】同実施形態におけるコンピュータ装置の内部構成を示す概念図である。
【符号の説明】
１…コンピュータ装置、２…挿入口、３…セロファン膜、４…軸、５…ブラシ、６…排気口、７…ファン。
【図１】
2005004927.tif 000003
【図２】
2005004927.tif 000004
【図３】
2005004927.tif 000005
(57)【要約】【課題】試験対象の電気回路に合致したヒューズが選択できて試験対象の電気回路に合わせ複数のヒューズホルダを準備する必要がないヒューズホルダを提供する。【解決手段】本ヒューズホルダは、収納ケーシングと、この収納ケーシングに収納された容量別の複数のヒューズと、これらのヒューズの一端に設けられた共通外部端子と、ヒューズの他端に各々設けられた切換え端子とこれらの切換え端子に選択的に接続される可動接続子からなるスイッチ機構と、このスイッチ機構に接続された外部端子を有する。【選択図】  図１
2005004973.tif 000002
【特許請求の範囲】
【請求項１】
収納ケーシングと、この収納ケーシングに収納された容量別の複数のヒューズと、これらのヒューズの一端に設けられた共通外部端子と、前記ヒューズの他端に各々設けられた切換え端子とこれらの切換え端子に選択的に接続される可動接続子からなるスイッチ機構と、このスイッチ機構に接続された外部端子を有することを特徴とするヒューズホルダ。
【請求項２】
請求項１に記載のヒューズホルダと、このヒューズホルダの共通外部端子に接続されたリード線と、このリード線に接続された接続端子と、前記ヒューズホルダの外部端子に接続されたリード線と、このリード線に接続された接続端子を有することを特徴とするジャンパー線。
【請求項３】
前記接続端子はワニグチグリップであることを特徴とする請求項２記載のジャンパー線。
【発明の詳細な説明】
【０００１】
【発明の属する技術分野】
本発明は電気設備試験における回路保護用のジャンパー線等に使用されるヒューズホルダ及びこれを用いたジャンパー線に係わり、特に容量切り換え機構を具備したヒューズホルダ及びこれを用いたジャンパー線に関する。
【０００２】
【従来の技術】
一般にジャンパー線として、導電線であるリード線の両端にワニグチグリップをそれぞれ接続したものが用いられている。しかし、従来のジャンパー線では、電気設備の改造又は新設等にかかわる試運転調整についての配線の間違いや、そのジャンパー線の配線の間違い等によって、そのジャンパー線を介して電源が短絡してしまった場合に、そのジャンパー線を通じて大電流が流れる。
【０００３】
そこで、リード線の中間部にヒューズを組込んだヒューズ付ジャンパー線が用いられているが、このヒューズ付ジャンパー線は、単一の容量のみであり、試験対象の電気回路毎に合致した容量のヒューズを組込んだヒューズホルダを準備する必要があった。
【０００４】
【発明が解決しようとする課題】
本発明は上述した事情を考慮してなされたもので、試験対象の電気回路に合致したヒューズが選択できて試験対象の電気回路に合わせ複数のヒューズホルダを準備する必要がないヒューズホルダを提供することを目的とする。
【０００５】
また、多数の試験対象の電気回路に対応可能なジャンパー線を提供することを目的とする。
【０００６】
【課題を解決するための手段】
上記目的を達成するため、本発明の１つの態様によれば、収納ケーシングと、この収納ケーシングに収納された容量別の複数のヒューズと、これらのヒューズの一端に設けられた共通外部端子と、前記ヒューズの他端に各々設けられた切換え端子とこれらの切換え端子に選択的に接続される可動接続子からなるスイッチ機構と、このスイッチ機構に接続された外部端子を有することを特徴とするヒューズホルダが提供される。これにより、試験対象の電気回路に合致したヒューズが選択できて試験対象の電気回路に合わせ複数のヒューズホルダを準備する必要がないヒューズホルダが実現される。
【０００７】
また、本発明の他の態様によれば、請求項１に記載のヒューズホルダと、このヒューズホルダの共通外部端子に接続されたリード線と、このリード線に接続された接続端子と、前記ヒューズホルダの外部端子に接続されたリード線と、このリード線に接続された接続端子を有することを特徴とするジャンパー線が提供される。これにより、多数の試験対象の電気回路に対応可能なジャンパー線が実現される。
【０００８】
また、本発明の他の態様によれば、前記接続端子がワニグチグリップであることを特徴とするジャンパー線が提供される。
【０００９】
【発明の実施の形態】
以下、本発明に係わるヒューズホルダの一実施形態について添付図面を参照して説明する。
【００１０】
図１は本発明に係わるヒューズホルダの概念図である。
【００１１】
図１に示すように、本発明に係わるヒューズホルダ１は、収納ケーシング２と、この収納ケーシング２に収納された容量別の複数のヒューズ３ａ，３ｂ，３ｃと、これらのヒューズ３ａ，３ｂ，３ｃの一端に設けられた共通外部端子４と、ヒューズ３ａ，３ｂ，３ｃの他端に各々設けられた切換え端子５ａ，５ｂ，５ｃとこれらの切換え端子５ａ，５ｂ，５ｃに選択的に接続される可動接続子６からなるスイッチ機構７と、このスイッチ機構７に接続された外部端子８を有している。なお、スイッチ機構には、選択中のヒューズ容量を表示する表示機能を持たせるのが好ましい。これにより、選択されたヒューズ容量を容易に確認できる。
【００１２】
本実施形態のヒューズホルダは上記構造を有するので、試験対象の電気回路に合致したヒューズを選択することにより、容量に過不足なく、適正なヒューズ機能を発揮させることができる。また、試験対象の電気回路に合わせ複数のヒューズホルダを準備する必要がない。
【００１３】
次に本発明に係わるジャンパー線の一実施形態について説明する。
【００１４】
図２に示すように、本発明に係わるジャンパー線１１は、図１に示すヒューズホルダ１と、このヒューズホルダ１の共通外部端子４に接続されたリード線１２と、このリード線１２に接続された接続端子としてのワニグチグリップ１３と、ヒューズホルダ１の外部端子８に接続されたリード線１４と、このリード線１４に接続された接続端子としてのワニグチグリップ１５を有している。
【００１５】
従って、上記実施形態のジャンパー線を用いることにより、試験対象の電気回路に合致したヒューズを選択することができ、多数の試験対象の電気回路に対応可能になる。なお、接続端子はワニグチグリップに代えてバナナ端子等を用いてもよい。
【００１６】
なお、本実施形態においては、本発明に係わるヒューズホルダをジャンパー線に用いた例で説明したが、他に抵抗、コンデンサ等に組込む部品としても使用可能である。
【００１７】
【発明の効果】
本発明に係わるヒューズホルダによれば、試験対象の電気回路に合致したヒューズが選択できて試験対象の電気回路に合わせ複数のヒューズホルダを準備する必要がないヒューズホルダを提供することができる。
【００１８】
また、本発明に係わるジャンパー線によれば、多数の試験対象の電気回路に対応可能なジャンパー線を提供することができる。
【図面の簡単な説明】
【図１】本発明に係わるヒューズホルダの概念図。
【図２】本発明に係わるジャンパー線の概念図。
【符号の説明】
１  ヒューズホルダ
２  収納ケーシング
３ａ，３ｂ，３ｃ  ヒューズ
４  共通外部端子
５ａ，５ｂ，５ｃ  切換え端子
６  可動接続子
７  スイッチ機構
８  外部端子
１１  ジャンパー線
【図１】
2005004973.tif 000003
【図２】
2005004973.tif 000004
(57)【要約】【課題】直接、日本語での指示文によってコンピュータ上のデータ処理を行なえるコンピュータソフトウエアを提供する。【解決手段】簡単な規則にのっとった日本語指示文を、コンピュータプログラミング言語に変換する。【選択図】  図１
2005004707.tif 000002
【特許請求の範囲】
【請求項１】
日本語による指示文を、コンピュータプログラミング言語に変換する。
【発明の詳細な説明】
【０００１】
【発明の属する技術分野】
本発明は、コンピュータ及びコンピュータ言語の知識のない人が、コンピュータ上のデータ処理を可能にするコンピュータソフトウエアである。
【０００２】
【従来の技術】
従来、コンピュータ上のデータを処理する為には、コンピュータプログラミング言語で記述する必要があった。
また、コンピュータ画面上の操作によってデータを処理するソフトウエア製品を使う場合マニュアルを参照することが必要であった。
【０００３】
【発明が解決しようとする課題】
これにはつぎのような欠点があった。
（イ）コンピュータプログラミング言語で記述する場合は、正しく動作するまでテストを繰り返し行なわなければならず、かなりの時間を費やさなければならない。
しかも機能毎に、プログラムしなければならないので、多機能あるいは高度な機能を実現するのは非常に困難であり、結局未完成であきらめる事がきわめて多い。
（ロ）データ処理ツールを使う場合は、高度な機能を使おうとすると、操作が煩雑になりマニュアルを参照しないとわからないことが多く、しかも独自の処理を実現するためには、結局、専用のプログラミング言語でプログラムする必要があった。
本発明は，以上の点を解決するためのものである。
【０００４】
【課題を解決するための手段】
目的の処理を、日本語で指示する。そしてその指示文を、プログラミング言語に変換する。
実行結果を、コンピュータ画面に表示する。
本発明は、以上の構成よりなる日本語指示文によるデータ処理である。
【０００５】
【発明の実施の形態】
以下，本発明の実施の形態を説明する。
（イ）簡単な規則による日本語指示文を与える。
（ロ）日本語指示文を、プログラミング言語に変換する。
（ハ）プログラムを実行し、結果をコンピュータ画面に表示する。
【０００６】
日本語指示文の簡単な規則は、以下の３点である。
（１）主語および目的語は″、″または″，″で区切る。
（２）文の最後は、″。″で終る。
（３）簡潔な表現をする。（〜は（を）、〜（と）する）
【０００７】
【発明の効果】
目的の処理を、直接、日本語で指示できるので、コンピュータの知識が不要である。
また、情報の機密のため他人に依頼できず、自ら手計算等で長時間かけて処理していた作業が、ごく短時間で実現できる。
【図面の簡単な説明】
【図１】本発明の使用状態を示すフローチャート図である。
【図１】
2005004707.tif 000003
(57)【要約】【課題】野焼きを行なってきた農業者が野焼き禁止となった場合に農産系資源廃棄物を持ち込む一般廃棄物処理施設の受け入れ能力が不足していたり、またその回収システムが存在していないこともあり、農業者は廃棄物の持ち込み先がなく、農業者にとっても地元行政機関にとっても大きな問題となっている。また、一般廃棄物処理施設に持ち込めたとしても、従来、野焼きによって農産系資源廃棄物を処理するのにコストがかからなかった農業者にとっては高額の処理料を支払わねばならず、処理料のコスト負担が重大な問題となっている。【課題を解決するための手段】以上の課題を解決する本発明のシステムは、バイオマス発電業者が農産系資源廃棄物のもととなる農産物の生産面積に応じて処理料金を農業者に課金し、バイオマス発電業者は処理料金の入金を確認して集積許可証を発行し、集積許可証に基づいて農業者に農産系資源廃棄物の集積場への集積を認め、農業者が農産系資源廃棄物を集積場に集積し、バイオマス発電業者がこれを収集してバイオマス発電に用いるものである。【特許請求の範囲】
【請求項１】
農業において不要となった可燃性産物（農産系資源廃棄物という）を農業者が集積場に集積し、発電業者がこれを収集して発電に用いるバイオマス発電システムにおいて、発電業者は農産系資源廃棄物のもととなる農産物の生産面積に応じて処理料金を農業者に課金し、発電業者は処理料金の入金を確認して集積許可証を発行し、集積許可証に基づいて農業者に農産系資源廃棄物の集積を認めるシステム。
【発明の詳細な説明】
【０００１】
【発明の属する技術分野】
本発明は、バイオマス発電の原料となる農産系資源廃棄物（果樹剪定枝、もみがら、稲わら、バガス、とうもろこし等をいう）の収集方法と処理料金の課金方法に関する。
【０００２】
【従来の技術】
従来、農産系資源廃棄物の処理方法は野焼きが広く行なわれてきた。しかしながら、野焼きは火災事故を招いたり、焼却の煙が道路を横切ると運転者の視界障害となったり、周辺環境に悪影響を及ぼすものであり、ダイオキシン規制法が施行されたことも相まって、近年、多くの都道府県や地自体が野焼きを禁止する方針を明確にしている。また、一部の農業者は自治体などが運営する一般廃棄物処理施設に持ち込み焼却処理を委託している。その際、農業者は持ち込んだ農産系資源廃棄物の重量トンに基づいて処理量の支払いを行なっている。
【０００３】
【発明が解決しようとする課題】
野焼きを行なってきた農業者が野焼き禁止となった場合に農産系資源廃棄物を持ち込む一般廃棄物処理施設の受け入れ能力が不足していたり、またその回収システムが存在していないこともあり、農業者は廃棄物の持ち込み先がなく、農業者にとっても地元行政機関にとっても大きな問題となっている。また、一般廃棄物処理施設に持ち込めたとしても、従来、野焼きによって農産系資源廃棄物を処理するのにコストがかからなかった農業者にとっては高額の処理料を支払わねばならず、処理料のコスト負担が重大な問題となっている。
【０００４】
【課題を解決するための手段】
以上の課題を解決する本発明のシステムは、バイオマス発電業者が農産系資源廃棄物のもととなる農産物の生産面積に応じて処理料金を農業者に課金し、バイオマス発電業者は処理料金の入金を確認して集積許可証を発行し、集積許可証に基づいて農業者に農産系資源廃棄物の集積場への集積を認め、農業者が農産系資源廃棄物を集積場に集積し、バイオマス発電業者がこれを収集してバイオマス発電に用いるものである。
【０００５】
【発明の実施の形態】
以上のようなシステムを導入することによって次のように作用する。すなわち、処理量の支払いのベースを重量トンではなく面積とすることにより、薄く広く農産系資源廃棄物の処理料を徴収することにより処理コストを安価に抑えることが可能となる。理由として、先ず、農業者にとっては廃棄物をそのまま放置しておくと害虫の被害を招く恐れもあり、トラクターなどの農機具で農作業を行なうのに廃棄物が障害になることから、廃棄物は処理しなければならないものである。次に、支払いのベースが重量トンであれば農業者は支払いを軽減するためになるべく廃棄物量を少なくしようとすることから、少量であれば隠れて野焼きをすることにつながりかねない。一方、支払いのベースを面積にすることによって、農業者はいくら多くの農産系資源廃棄物を持ち込もうとも負担するコストは変わらないので、自然と廃棄物を野焼きすることなくバイオマス発電所に持ち込まれることになる。また、集荷場は農業者にとって便利な至近の場所に設定し、農業者に集荷場まで持ち込んでもらい、その集荷場から発電所までは大型トラックや廃棄物の輸送密度を高めるパッカー車などにより効率的に輸送する。その集荷方法により廃棄物処理施設まで輸送することに比べ、農業者の輸送負担を最小限に軽減することができる。また、自治体などの一般廃棄物処理施設では廃棄物の寸法などの規格が限定されることが普通であるがバイオマス発電所は規格外のものでも受け入れ可能とすることにより農業者の利便性を高めることができる。
【０００６】
【実施例】
農産系資源廃棄物の果樹剪定枝を例にして、本発明の一実施形態を説明する。先ず、農業者は主に春先に剪定を行なう。剪定の枝を放置しておくとその後の農作業に支障をきたしたり、害虫被害の恐れもあることから、剪定後すみやかに軽トラックに剪定枝を載せて近くの農業共同組合が運営する選果場などの集積場に持ち込む。選果場は出荷時期にしか使用されないことから、空いている時期を有効利用する。また、農業者にとっては良く知っている場所であり、一定の広さに対して必ず存在する施設である。農業者には一定期間内に搬入してもらうべく通知し、剪定枝の搬入終了に合わせ、パッカー車や大型トラック等で効率的にバイオマス発電所まで剪定枝を輸送する。一方、処理料金は農業協同組合の課金システム等を有効利用し、農業者の生産面積に基づいて課金する。例えば「剪定枝処理協力金」と一項目を加え、農業者は他の農業共同組合宛ての支払いとともに処理費用を支払う。農業共同組合は入金代行業務を行い、代理入金して発電所に支払いを行なう。発電者は処理料金の入金を確認の上、集積許可証を農業者に対して発行し、集積許可証に基づいて農業者に剪定枝の集積場への集積を認めるシステムとする。
【０００７】
【発明の効果】
バイオマス発電はＣＯ２削減効果があり地球温暖化の防止に貢献する環境意義の高い事業である。従来、野焼きという燃やして灰にするだけであったのを電気というエネルギーを創造し、サーマルリサイクルを行なうために、本発明を導入することにより、事業の実現性が高まる。農業者の方には処理する方法や搬入先を提供することにより農産系資源廃棄物の処理に関る作業量と経済的負担を軽減することができる。本発明を実行することによりバイオマス資源が循環され、地域環境に貢献できる実用的効果を実現する。
(57)【要約】【課題】インターネットオークションでの物品の売買において、買い手がより希望価格に近い価格で購入出来たり、また売り手の売れ残りを減らしたり出来るようにする。【解決の手段】買い手と売り手が希望価格を自由に提示することによって価格交渉が出来る。買い手が売り手の希望価格よりも価格を下げて提示出来たり、売り手が買い手の希望価格よりも価格を上げて提示する事が出来るようにする。【特許請求の範囲】
【請求項１】
本発明は同じサイトにオークション・逆オークションが共存しており、オークションならば買いたい人が売りたい人の希望価格よりも価格を下げて提示する事が出来、逆オークションならば売りたい人が買いたい人の希望価格よりも価格を上げて提示する事が出来る。希望価格を提示する際に価格交渉が出来るオークションシステム。
【発明の詳細な説明】
【０００１】
【発明の属する技術分野】
本発明はインターネットオークションで物品の売買において価格交渉が出来るものである。
【０００２】
【従来の技術】
従来のインターネットオークションは物品を売りたい人、又、買いたい人が価格を決定したうえでオークションを開始する一方的なものである為に、あまりに高く価格を設定してしまい売れ残ってしまうケースが多い。また、逆オークションではあまりに安い価格を設定してしまい売り手が現れないケースが多い。
参考書籍、プライスライン・ドット・コム米国特許第５７９４２０７号逆オークションがある。
【０００３】
【発明の実施の形態】
本発明は、物品を買いたい人は売りたい人の希望価格よりも安い価格を提示する事が出来、売りたい人は買いたい人の希望価格よりも高い価格を提示する事が出来るオークションシステムである。
【０００４】
【発明の効果】
このようにすれば、買いたい人は自身の希望価格に、より近い価格で物品を購入する事が可能であり、売りたい人は買いたい人との交渉で売れ残りを減らす事が可能である。
(57)【要約】【課題】情報伝達手段として重要な位置を占める電子メールの文面は、画一的で読みにくく、新聞、雑誌、書籍などに比べると、文章の判読効率が低く、そのため送り手の思いまで十分に伝えられない不満がある。【解決手段】専用のソフトと電子はがき、電子絵はがき、電子カード、電子切手等のアイテムを提供し、またこれらを流通させるサイトを備えた電子郵便システム。【選択図】なし【特許請求の範囲】
【請求項１】
電子通信回線を利用した、文字、図形、音声、写真、動画等の交換を、日常の社会生活で使用しているはがき、カード、封筒、切手という要素をそのまま再現しておこなうためのコンピュータソフトとコンテンツ及びそれらを売買するビジネスモデル。
【発明の詳細な説明】
【０００１】
【発明の属する技術分野】
本発明は、電子通信回線を利用した情報伝達に関するものである。
【０００２】
【従来の技術】
今日、電子通信回線を利用した情報伝達システム、すなわち電子メールシステムは、日常生活において必要不可欠なコミュニケーションツールになっているが、不満もある。
【０００３】
【発明が解決しようとする課題】
現在一般に使われている電子メールの文面は、白いスペースに文字を並べただけの、いたって無味乾燥なものである。
また、文字列と文字列の間の空白（行間）も少ないうえに、それが固定されているため大変に読みにくく、新聞、雑誌、書籍などに比べると、文章の判読効率が低いメディアである。
【０００４】
電子メールが開発された当初は、通信能力が低く、少量のテキストデータを１対１で送受信するのが精一杯であった。その後、インターネットの発明により、多点間での情報の送受信が可能になったが、依然通信能力が低いために、送付できる情報は一定量のテキストデータに制限されていた。
また、当時の利用者が、科学者や技術者をはじめとする専門家であったことから、電子メールにテキストデータをやりとりする機能以上のものを求めなかった。
ところが今日では、電子メールは生活やビジネスにおいて必要不可欠なツールとなり、様々な分野の人々が電子メールを利用するようになり、また、ブロードバンド時代になった現在は、通信能力による制限も希薄になりつつある。このような変化にもかかわらず、電子メールの表示スタイルは開発当初のままである。
【０００５】
【課題を解決するための手段】
本発明は、はがき、カード（誕生カードやグリーティングカード等）等に文字を書き入れ、カードの場合は封筒に入れ、切手を貼って送り、受け取った側は、その読みやすい文面を読むという、通常の生活の中でのはがきやカードのやりとりと同じプロセスをパソコンや携帯端末、携帯電話、タブレットＰＣ等で再現する新しい電子メールシステムである。これによって、より豊かなコミュニケーションを実現することが出来る。
また同時にその為のコンテンツを売買するビジネスモデルも実現する。
【０００６】
本発明は、以下の５つの要素によって構成されている。
（１）パソコンや携帯端末、携帯電話、タブレットＰＣ等を使用して、電子はがきや電子カードに文字や絵を書き込み、必要に応じて折り畳んだり、電子封筒に入れるなどして、電子切手を貼り、通信回線を利用してそれを送付することが出来ると同時に、パソコンや携帯端末、携帯電話、タブレットＰＣ等で受信して電子はがき、電子カード、電子カードを入れた電子封筒を収納し、その収納した電子はがき、電子カード、電子封筒を表示することのできる専用ソフト。
（２）様々な背景色、デザイン、写真、イラスト、ロゴマーク、罫線などによって構成されている電子はがきや電子カード。
（３）様々な背景色、デザイン、写真、イラスト、ロゴマーク、罫線などによって構成されている電子封筒。
（４）電子はがきや電子封筒に貼ることのできる各種デザインの電子切手。また、はじめから電子はがきに付いている各種デザインの電子切手。
（５）上記専用ソフト、電子はがき、電子カード、電子封筒、電子切手等を有償無償で配布し、これらのツールを利用してコミュニケーションを図る人々が集うことができるサーバー上のサイト。
【０００７】
以下に本発明を詳述する。
電子はがきや電子カードを利用しようとする者は、まず最初に、サーバーに開設されたサイトにアクセスして、パソコンや携帯端末、携帯電話、タブレットＰＣ等に専用ソフトをダウンロードする。
ダウンロードされた専用ソフトには、基本的な電子はがき、電子カード、電子封筒、電子切手等が添付されている。
【０００８】
利用者はダウンロードした専用ソフトにより、電子はがきや電子カードに文字や絵を書き込み、電子カードは電子封筒に封入して、電子切手を貼って送ることができる。
既存の電子メールシステムにそれを添付して送ることも可能である。
【０００９】
受取人は専用ソフトで受信してパソコンや携帯端末、携帯電話、タブレットＰＣ等に電子はがきや電子カードの入った電子封筒を収納し、その収納した電子はがきや電子カード、電子封筒、電子封筒から取り出した電子カードを表示させる。
【００１０】
表示させた電子はがき、電子カード、電子封筒はプリンターで印刷することができる。
この場合、電子封筒は展開した状態で印刷し、それを切り込み、貼り合わせるなどして本物の封筒の形に作ることもできる。
【００１１】
電子はがきや電子カードは、それに書き込む文字の種類、大きさ、色、行間等を自由に設定することが可能である。
また、一般に配布されていない特殊な書体を使用した場合には、その書体を添付することもできる。
【００１２】
手書き文字や手書きの絵を書き入れたり、またデザイン等も可能である。
【００１３】
電子はがきや電子カードには、音声メッセージ、音楽データ、画像、図形、写真、動画等を添付することができる。
書き込んだ文字（文章）を読んで、それを音声メッセージにすることもできる。
【００１４】
電子はがきや電子カードは、書き込んだ文字や絵を再編集することや、添付した各種データを削除したり再添付することができる。
【００１５】
電子カードは文字や絵を書き込んだ後、指定した電子封筒に封入することができる。
【００１６】
電子カードを電子封筒に封入した後でもそれを取り出し、再度編集することができる。
【００１７】
送付する電子はがきや電子封筒に電子切手を貼ることができる。
【００１８】
各種デザインされた電子はがき、電子絵はがき、電子カード、電子切手等をサーバー上のサイトで販売し、希望者はこれらを購入し使用することができる。
【００１９】
【発明の効果】
本発明は以上のように構成されているので、無味乾燥で読みにくい電子メールシステムを大きく変え、これまでは難しかった送り手の気持ちや感情などをより豊かに伝えることが可能となるとともに、様々な人々によってデザインされた電子はがき、電子絵はがき、電子カード、電子封筒、電子切手等を一カ所に集め、それを全世界の人達に流通させることにより、デザイン力の向上、発表の場の提供、コンテンツの充実、そしてそれらの流通による経済の活性化を計ることができる。
(57)【要約】      （修正有）【課題】日々の貯金額も一定でなく最高でも３７０円と無理なく継続出来，貯金高も表から一目瞭然であり，貯金した額のシールを剥がす事により下絵が何かと遊び心が湧き楽しみが倍増する装置を提示する。【解決手段】横１０行×縦３７行の枠組みを作り１〜３７０の数字を向かって左上より１から順番に３７０まで記入した表を作る。各枠組みの横列及び縦列の合計数をそれぞれ記入する。１〜３７０の枠組みの各部位がシールに成っており、剥がせる様にする。１〜３７０全てのシールを剥がしおえたら下絵が出てくる。又、下絵そのものも３Ｄアートになっている。【選択図】図１
2005004708.tif 000002
【特許請求の範囲】
【請求項１】
１円〜３７０円の表を作成し６８６３５円の貯金が出来る様にした。
【発明の詳細な説明】
【０００１】
［発明の属する技術分野］
横１０行×縦３７行の枠組みを作り１〜３７０の数字を向かって左上より１から順番に３７０まで記入した表を作る。各枠組みの横列及び縦列の合計数をそれぞれ記入する。１〜３７０の枠組みの各部位がシールに成っており、剥がせる様にする。１〜３７０全てのシールを剥がしおえたら下絵が出てくる。又、下絵そのものも３Ｄアートになっており楽しめる。
【０００２】
［往来の技術］
往来は本発明の様な貯金表が無かった。
【０００３】
［発明が解決しようとする課題］
毎日貯金と称して１００円／日づつ貯めてる人が居るが貯金高が解らなくなったり、毎日１００円づつは高額で中々継続するのが困難である。又、日々に対する楽しみも少なく妥協する人が多い。
【０００４】
［課題を解決するための手段］
日々の貯金額も一定でなく最高でも３７０円と無理なく継続出来る。貯金高も表から一目瞭然である。貯金した額のシールを剥がす事により下絵が何かと遊び心が湧き楽しみが倍増する。
【０００５】
［発明の実施の形態］
以下、本発明の実施の形態について説明する。
（イ）３Ｄになった下絵を準備する。
（ロ）下絵の上に白紙のシールを貼る。
（ハ）白紙のシール上に横１１列×縦３８列の枠を作成する。
（ニ）各枠の左上から１．２．３……３７０までの数字を記入して向かって右端と最下段の部位に合計を記入する。
（ホ）各枠の線にそって白紙のシールだけ剥がせる様に切れ目を入れる。
【０００６】
［発明の効果］
テスト的に１０数人の人に１年間表を使って貯金して貰った結果、全員６８６３５円の貯金に成功した。又、中学生にも同じテストを実施した所１００％目標達成出来たと言う事で誰にでも無理なく楽しく貯金をする事が出来る様になった。
【図面の簡単な説明】
【図１】本発明の表である。
2005004708.tif 000003
【図１】
2005004708.tif 000004
【手続補正書】
【提出日】平成15年8月31日(2003.8.31)
【手続補正２】
【補正対象書類名】明細書
【補正対象項目名】図面の簡単な説明
【補正方法】変更
【補正の内容】
【図面の簡単な説明】
【図１】本発明の表である。
(57)【要約】      （修正有）【課題】肌を痛めないよう目鏡につける保護具を提供する。【解決手段】目鏡の肌にあたる部分に布製の保護具を被せる。目鏡で肌を痛めたり跡をつけたり後遺症が残る等を解決するものである。【選択図】図１
2005004156.tif 000002
【特許請求の範囲】
【請求項１】
肌を痛めないやう目鏡につける保護具
【発明の詳細な説明】
【０００１】
（発明の属する技術分野）
本発明は目鏡が肌にあたり肌を痛めるので目鏡に保護具を取りつけ痛まないやうにするものである
【０００２】
（従来の技術）  従来は肌を保護するものはなかった
【０００３】
（発明が解決しようとする課題）
目鏡の肌に当たる部分で肌を痛める目鏡があたっていた跡が見苦しい後遺症がある等を解決するものである
【０００４】
（発明の効果）
保護具をつける事で肌が楽になり医療的である
【図面の簡単な説明】
【図１】本発明の正面図である
【図２】本発明の側面図である
【符号の説明】
１  目鏡本体
２  目鏡の鼻当り
３  目鏡鼻当りの保護具
【図１】
2005004156.tif 000003
【図２】
2005004156.tif 000004
(57)【要約】【課題】音をレベルアップするには表面板の途中（ブリッチ）止まりになっている弦を表面板の最後尾まで延長し表面板と弦との共振を良くする方法がある。これは６本の弦が３６キログラムの力で表面板をネック方向に引張り表面板の振動の障害になっている為である。【解決手断】弦を表面板の最後尾まで延長する為には強度の無い牛骨製又は象牙製の駒から強度のあるアルミ製に換えた。更に駒に穴を明け１回転巻いて張り弦の張力を維持した。これで駒を中心に弦の引張る力が前後方向に分散され表面板と弦の共振の向上が図れた。又元の部分の弦と延長した部分の弦との共振も図れた。駒の形も１形からＬ形にしＬ形が抜けないよう下形も作りブリッチに取り付けた。駒の上部には２ミリの丸棒を半分に切断して両面に付け弦を１回転させる時の摩擦を小さくした。又延長した弦を取り付ける木具も横板に取り付けた。【選択図】  図２
2005004152.tif 000002
【特許請求の範囲】
【請求項１】
強度のない牛骨製又は象牙製の駒から強度あるアルミ製の駒にして，駒に６個の穴を明け弦を１回転巻いて表面板の最後尾まで延長した。
【発明の詳細な説明】
【０００１】
本発明は強度の無い牛骨製又は象牙製の駒（図１）に弦を載せる方法から，強度のあるアルミ製（図２）の駒に換え６個の穴あけ弦を１回転巻いて表面板の最後尾まで延長した。
【０００２】
表面板の振動も従来の方法ではブリッチに（図１）直接弦を止めていた為３６キログラムの力で表面板がネック方向に引っ張られ表面板の振動が阻害されていた。今回の方法は駒（図２）を中心に前後方向に弦の引っ張る力が分散され表面板の振動が良くなった。又弦との共振も良くなり音のレベルアップに繋がった。
【発明に属する技術分野】
楽器    クラシックギターの音のレベルアップ
【従来の技術】
弦の振動を表面板に伝える駒は現在牛骨製又は象牙製である。又弦の長さも表面板の途中まである。
【発明が解決しようとする課題】
表面板の途中（ブリッチ）止めになっている６本の弦が３６キログラムの力で表面板をネック方向に引っ張り表面板の振動の障害になり音の出を阻害している。
【課題を解決する為の手段】
弦がブリッチ止まりの方式から表面板の最後尾まで延長し表面板と弦の共振を更に良くする必要がある。
又延長した部分の弦と元の部分の弦の共振を図る必要がある。その為には強度のない牛骨製又は象牙製の駒から強度のある物質に換える必要がある。
【発明を解決する為の手段】
駒の強度を解決する為にアルミ製にした。アルミは強度もあり音響にも優れている。又駒の形もＩ形からＬ形にしＬ形が抜けないよう下形も作りブリッチに取りつけた。又２ミリの丸棒を半分に切断して駒の両面の上部につけ１回転する弦の摩擦を小さくした。また延長した弦を結ぶ木具を作り横板に取り付けた。
【図面の簡単な説明】
【図１】現代のギターと駒
【図２】新しく考案したギターと駒
【図１】
2005004152.tif 000003
【図２】
2005004152.tif 000004